(57)【要約】【課題】電気を用いない靴底清掃器を提供する。【解決手段】平面視において左右方向に直線状の複数本のブラシ本体１を平行に並設する。手前から奇数番目のブラシ本体１と偶数番目のブラシ本体１を、靴を介して加えられる下方向荷重によって、左右逆方向へ移動するように構成した。【選択図】図３
2009254622.tif 000002
【特許請求の範囲】
【請求項１】
平面視において左右方向に直線状の複数本のブラシ本体（１）を平行に並設して、手前から奇数番目のブラシ本体（１）と偶数番目のブラシ本体（１）を、靴を介して加えられる下方向荷重（Ｆ）によって、左右逆方向へ移動するように構成したことを特徴とする靴底清掃器。
【請求項２】
平面視において左右方向に直線状の複数本のブラシ本体（１）を平行に並設すると共に、各ブラシ本体（１）の左端（２）・右端（３）を上下揺動可能な左揺動片（４）・右揺動片（５）にて枢支して、上記ブラシ本体（１）を上下動可能に支持し、かつ、該ブラシ本体（１）を上方へ常時弾発付勢する弾発部材（７）を設け、靴を介して加えられる下方向荷重（Ｆ）によって、手前から奇数番目のブラシ本体（１）と偶数番目のブラシ本体（１）の内の一方を、右下方向へ、さらに、他方を、左下方向へ、各々上記弾発部材（７）の弾発付勢力に抗して移動し、上記奇数番目のブラシ本体（１）と偶数番目のブラシ本体（１）を、靴を介して加えられる下方向荷重（Ｆ）によって、左右逆方向へ移動するように構成したことを特徴とする靴底清掃器。
【請求項３】
上記手前から奇数番目のブラシ本体（１）を枢支する複数の上記左揺動片（４）は、奇数群用共通左枢支軸（Ｌ1 ）にて基台（６）に枢支され、
上記手前から奇数番目のブラシ本体（１）を枢支する複数の上記右揺動片（５）は、奇数群用共通右枢支軸（Ｌ2 ）にて基台（６）に枢支され、
上記手前から偶数番目のブラシ本体（１）を枢支する複数の上記左揺動片（４）は、偶数群用共通左枢支軸（Ｌ3 ）にて基台（６）に枢支され、
上記手前から偶数番目のブラシ本体（１）を枢支する複数の上記右揺動片（５）は、偶数群用共通右枢支軸（Ｌ4 ）にて基台（６）に枢支されている請求項２記載の靴底清掃器。
【請求項４】
上記左揺動片（４）は、共通左枢支軸（Ｌ5 ）にて基台（６）に枢支され、
上記右揺動片（５）は、共通右枢支軸（Ｌ6 ）にて基台（６）に枢支されている請求項２記載の靴底清掃器。
【発明の詳細な説明】
【技術分野】
【０００１】
本発明は、靴底清掃器に関する。
【背景技術】
【０００２】
従来、靴底清掃器としては、植毛したブラシ板を、電機モータで駆動されるローラチェーンに連結したものがある（例えば、特許文献１参照）。
【０００３】
しかし、電動式なので、センサーが必要であり、電気、エアー、給排水等の工事が必要で、大きな設置場所を必要とするとともに、納品設置に関して専門家の手間がかかった。また、電気代がかかるという欠点があった。また、電気的な故障が起こる虞れがあった。
【特許文献１】実開昭５１−１６５４２号公報
【発明の開示】
【発明が解決しようとする課題】
【０００４】
解決しようとする課題は、センサーが必要であり、電気、エアー、給排水等の工事が必要で、大きな設置場所を必要とするとともに、納品設置に関して専門家の手間がかかる点である。また、電気代がかかる点である。また、電気的な故障が起こる点である。
【課題を解決するための手段】
【０００５】
そこで、本発明に係る靴底清掃器は、平面視において左右方向に直線状の複数本のブラシ本体を平行に並設して、手前から奇数番目のブラシ本体と偶数番目のブラシ本体を、靴を介して加えられる下方向荷重によって、左右逆方向へ移動するように構成したものである。
【０００６】
また、平面視において左右方向に直線状の複数本のブラシ本体を平行に並設すると共に、各ブラシ本体の左端・右端を上下揺動可能な左揺動片・右揺動片にて枢支して、上記ブラシ本体を上下動可能に支持し、かつ、該ブラシ本体を上方へ常時弾発付勢する弾発部材を設け、靴を介して加えられる下方向荷重によって、手前から奇数番目のブラシ本体と偶数番目のブラシ本体の内の一方を、右下方向へ、さらに、他方を、左下方向へ、各々上記弾発部材の弾発付勢力に抗して移動し、上記奇数番目のブラシ本体と偶数番目のブラシ本体を、靴を介して加えられる下方向荷重によって、左右逆方向へ移動するように構成したものである。
【０００７】
また、上記手前から奇数番目のブラシ本体を枢支する複数の上記左揺動片は、奇数群用共通左枢支軸にて基台に枢支され、上記手前から奇数番目のブラシ本体を枢支する複数の上記右揺動片は、奇数群用共通右枢支軸にて基台に枢支され、上記手前から偶数番目のブラシ本体を枢支する複数の上記左揺動片は、偶数群用共通左枢支軸にて基台に枢支され、上記手前から偶数番目のブラシ本体を枢支する複数の上記右揺動片は、偶数群用共通右枢支軸にて基台に枢支されているものである。
また、上記左揺動片は、共通左枢支軸にて基台に枢支され、上記右揺動片は、共通右枢支軸にて基台に枢支されているものである。
【発明の効果】
【０００８】
本発明の靴底清掃器によれば、電気的動力を使用せず、人の体重を下方向荷重Ｆとして利用することで、靴底に付着したゴミ、泥等を清掃することができる。すなわち、センサーが不要であり、電気、エアー、給排水等の一切の工事が不要で、設置場所の制限を大幅に緩和することができ、同時に、納品設置に関する専門家の手間を削減できる。また、電気代がかからない。また、当然に、電気的な故障も起こらない。また、ブラシ本体が順次左右逆方向に移動して靴底に接触するので、身体が左（又は右）に流れてふらつくことがない。
【発明を実施するための最良の形態】
【０００９】
図１・図２は、本発明の第１の実施の形態を示す。この靴底清掃器は、例えば、建物や工場や施設等の出入口等の床に設置される。図１の２点鎖線、及び、図２の２点鎖線は、靴を示し、かつ、図２では後述の窓10を２点鎖線の矩形枠で示す。すなわち、右足と左足を交互に靴底清掃器に乗せて足踏みすることにより、ブラシ本体１が後述のように（隣り合うブラシ本体１が左右逆方向となるように）左右に動いて、靴底に付着した泥や埃等を払拭することができる。左足用と右足用が１セットとしてケース20に収納されている。以下の説明では、左足用のみについて説明する。右足用も左足用と同様の構成である。
【００１０】
図３〜図６は、自由状態を示す。図７〜図10は、靴（図示省略）を介して下方向荷重Ｆが加えられた状態を示す。平面視において左右方向に直線状の複数本のブラシ本体１が平行に並設されている。各ブラシ本体１の左端２・右端３が上下揺動可能な左揺動片４・右揺動片５にて枢支されて、ブラシ本体１が上下動可能に支持されている。ブラシ本体１を上方へ常時弾発付勢する弾発部材７（第１の実施の形態では、ねじりコイルバネ。）が設けられて、靴を介して加えられる下方向荷重Ｆによって、手前から奇数番目のブラシ本体１（１ａ）と偶数番目のブラシ本体１（１ｂ）の内の一方を、右下方向へ、さらに、他方を、左下方向へ、各々上記弾発部材の弾発付勢力に抗して移動し、奇数番目のブラシ本体１ａと偶数番目のブラシ本体１ｂを、靴を介して加えられる下方向荷重Ｆによって、左右逆方向へ移動するように構成されている。なお、上記弾発部材７は、各左揺動片４・右揺動片５に付設するのが良い。
【００１１】
手前から奇数番目のブラシ本体１ａを枢支する複数の左揺動片４は、奇数群用共通左枢支軸Ｌ1 にて基台６に枢支されている。手前から奇数番目のブラシ本体１ａを枢支する複数の右揺動片５は、奇数群用共通右枢支軸Ｌ2 にて基台６に枢支されている。手前から偶数番目のブラシ本体１ｂを枢支する複数の左揺動片４は、偶数群用共通左枢支軸Ｌ3 にて基台６に枢支されている。手前から偶数番目のブラシ本体１ｂを枢支する複数の右揺動片５は、偶数群用共通右枢支軸Ｌ4 にて基台６に枢支されている。
【００１２】
各左揺動片４、右揺動片５は、自由状態では、高い位置に水平になっている。そして、下方向荷重Ｆが加えられると回転して斜めになる。なお、上記弾発部材７の取付構造としては、枢支軸Ｌ1 ，Ｌ2 ，Ｌ3 ，Ｌ4 の内の一部又は全部に、共通の大型弾発部材（例えばガススプリング）を付設して、回転力を付与しても良い（図示省略）。
【００１３】
図11〜図16は、第２の実施の形態を示す。図11〜図13は、自由状態を示す。図14〜図16は、靴（図示省略）を介して下方向荷重Ｆが加えられた状態を示す。弾発部材７が引張バネから成る。
【００１４】
左揺動片４は、共通左枢支軸Ｌ5 にて基台６に枢支されている。右揺動片５は、共通右枢支軸Ｌ6 にて基台６に枢支されている。
【００１５】
各左揺動片４、右揺動片５は、自由状態では、斜めになっている。下方向荷重Ｆが加えられると回転して低い位置に水平になる。なお、上記弾発部材７の取付構造としては、枢支軸Ｌ5 ，Ｌ6 の内の一方又は両方に、共通の大型弾発部材（例えばガススプリング）を付設して、回転力を付与しても良い（図示省略）。その他の構成は、第１の実施の形態と同様である。
【００１６】
図17〜図22は、第３の実施の形態を示す。図17〜図19は、自由状態を示す。図20〜図22は、靴（図示省略）を介して下方向荷重Ｆが加えられた状態を示す。
【００１７】
各ブラシ本体１に枢着された左揺動片４、右揺動片５は、自由状態では、一方が高い位置で水平になっており、かつ、他方が斜めになっている。下方向荷重Ｆが加えられると回転して、上記一方が斜めになり、上記他方が低い位置に水平になる。その他の構成は、第１の実施の形態と同様である。
【００１８】
なお、図１と図２に示すように、ケース20には、２個の矩形の窓10，10を貫設して、ブラシ本体１の左端２・右端３を隠すのが望ましい。また、本発明は、設計変更可能であって、例えば、弾発部材７が、圧縮バネやガススプリング等から成るも良い。また、ケース20を半分の大きさとして、各ケース20内に右足用又は左足用の一方のみを設け、右足用と左足用を１セットとして用いるも良い。
【００１９】
以上のように、本発明は、平面視において左右方向に直線状の複数本のブラシ本体１を平行に並設して、手前から奇数番目のブラシ本体１と偶数番目のブラシ本体１を、靴を介して加えられる下方向荷重Ｆによって、左右逆方向へ移動するように構成したので、電気代がかからない。また、当然に、電気的な故障も起こらない。電気的動力を使用せず、人の体重を下方向荷重Ｆとして利用することで、靴底に付着したゴミ、泥等を清掃することができる。すなわち、センサーが不要であり、電気、エアー、給排水等の一切の工事が不要で、設置場所の制限を大幅に緩和することができ、同時に、納品設置に関する専門家の手間を削減できる。さらに、身体が左右一方向へ流される虞れがなく、安全である。
【００２０】
また、平面視において左右方向に直線状の複数本のブラシ本体１を平行に並設すると共に、各ブラシ本体１の左端２・右端３を上下揺動可能な左揺動片４・右揺動片５にて枢支して、ブラシ本体１を上下動可能に支持し、かつ、ブラシ本体１を上方へ常時弾発付勢する弾発部材７を設け、靴を介して加えられる下方向荷重Ｆによって、手前から奇数番目のブラシ本体１と偶数番目のブラシ本体１の内の一方を、右下方向へ、さらに、他方を、左下方向へ、各々弾発部材７の弾発付勢力に抗して移動し、奇数番目のブラシ本体１と偶数番目のブラシ本体１を、靴を介して加えられる下方向荷重Ｆによって、左右逆方向へ移動するように構成したので、電気代がかからない。また、当然に、電気的な故障も起こらない。電気的動力を使用せず、人の体重を下方向荷重Ｆとして利用することで、靴底に付着したゴミ、泥等を清掃することができる。すなわち、センサーが不要であり、電気、エアー、給排水等の一切の工事が不要で、設置場所の制限を大幅に緩和することができ、同時に、納品設置に関する専門家の手間を削減できる。さらに、身体が左右一方向へ流される虞れがなく、安全である。
【００２１】
また、手前から奇数番目のブラシ本体１を枢支する複数の左揺動片４は、奇数群用共通左枢支軸Ｌ1 にて基台６に枢支され、手前から奇数番目のブラシ本体１を枢支する複数の右揺動片５は、奇数群用共通右枢支軸Ｌ2 にて基台６に枢支され、手前から偶数番目のブラシ本体１を枢支する複数の左揺動片４は、偶数群用共通左枢支軸Ｌ3 にて基台６に枢支され、手前から偶数番目のブラシ本体１を枢支する複数の右揺動片５は、偶数群用共通右枢支軸Ｌ4 にて基台６に枢支されているので、容易に製作することができる。
【００２２】
また、左揺動片４は、共通左枢支軸Ｌ5 にて基台６に枢支され、右揺動片５は、共通右枢支軸Ｌ6 にて基台６に枢支されているので、容易に製作することができる。
【図面の簡単な説明】
【００２３】
【図１】本発明の第１の実施の形態を示す平面図である。
【図２】透視平面図である。
【図３】要部を示す説明用平面図である。
【図４】図３のＡ−Ａ断面図である。
【図５】図３のＢ−Ｂ断面図である。
【図６】側面図である。
【図７】説明用平面図である。
【図８】図７のＣ−Ｃ断面図である。
【図９】図７のＤ−Ｄ断面図である。
【図１０】側面図である。
【図１１】第２の実施の形態を示す説明用平面図である。
【図１２】図11のＥ−Ｅ断面図である。
【図１３】図11のＧ−Ｇ断面図である。
【図１４】説明用平面図である。
【図１５】図14のＨ−Ｈ断面図である。
【図１６】図14のＪ−Ｊ断面図である。
【図１７】第３の実施の形態を示す説明用平面図である。
【図１８】図17のＫ−Ｋ断面図である。
【図１９】図17のＭ−Ｍ断面図である。
【図２０】説明用平面図である。
【図２１】図20のＮ−Ｎ断面図である。
【図２２】図20のＰ−Ｐ断面図である。
【符号の説明】
【００２４】
１  ブラシ本体
２  左端
３  右端
４  左揺動片
５  右揺動片
６  基台
７  弾発部材
Ｆ  下方向荷重
Ｌ1   奇数群用共通左枢支軸
Ｌ2   奇数群用共通右枢支軸
Ｌ3   偶数群用共通左枢支軸
Ｌ4   偶数群用共通右枢支軸
Ｌ5   共通左枢支軸
Ｌ6   共通右枢支軸
【図１】
2009254622.tif 000003
【図２】
2009254622.tif 000004
【図３】
2009254622.tif 000005
【図４】
2009254622.tif 000006
【図５】
2009254622.tif 000007
【図６】
2009254622.tif 000008
【図７】
2009254622.tif 000009
【図８】
2009254622.tif 000010
【図９】
2009254622.tif 000011
【図１０】
2009254622.tif 000012
【図１１】
2009254622.tif 000013
【図１２】
2009254622.tif 000014
【図１３】
2009254622.tif 000015
【図１４】
2009254622.tif 000016
【図１５】
2009254622.tif 000017
【図１６】
2009254622.tif 000018
【図１７】
2009254622.tif 000019
【図１８】
2009254622.tif 000020
【図１９】
2009254622.tif 000021
【図２０】
2009254622.tif 000022
【図２１】
2009254622.tif 000023
【図２２】
2009254622.tif 000024